(57)【特許請求の範囲】
【請求項１】
無線通信システムにおける端末がＷＬＡＮ（Ｗｉｒｅｌｅｓｓ  Ｌｏｃａｌ  Ａｒｅａ  Ｎｅｔｗｏｒｋ）結合状態を報告する方法において、
基地局からＷＬＡＮ測定設定（ＷＬＡＮ  ｍｅａｓｕｒｅｍｅｎｔ  ｃｏｎｆｉｇｕｒａｔｉｏｎ）を受信するステップ；
前記端末のＷＬＡＮモジュールの電源がオン（ＯＮ）の状態であり、前記端末が選好されるＡＰ（ｐｒｅｆｅｒｒｅｄ  ａｃｃｅｓｓ  ｐｏｉｎｔ）に結合されていない場合、前記ＷＬＡＮ測定設定に基づいてＷＬＡＮの測定を実行するステップ；
前記ＷＬＡＮの測定の結果を前記基地局に報告するステップ；
前記基地局から、複数のターゲットＡＰを含むＷＬＡＮ移動性セット（ｍｏｂｉｌｉｔｙ  ｓｅｔ）を受信するステップ；
前記ＷＬＡＮ移動性セットに含まれる１つのターゲットＡＰとの結合を試みるステップ；
前記端末が前記１つのターゲットＡＰとの結合に失敗した場合、前記ＷＬＡＮ移動性セットに含まれる他のターゲットＡＰとの結合を試みるステップ；
前記端末が前記ＷＬＡＮ移動性セットに含まれる全てのターゲットＡＰとの結合に失敗した場合、失敗を含むＷＬＡＮ結合状態を前記基地局に報告するステップ；を含むことを特徴とする方法。
【請求項２】
前記選好されるＡＰは、前記端末により選好されるＡＰであることを特徴とする請求項１に記載の方法。
【請求項３】
前記端末は、進行中であるオフローディング可能なトラフィック（ｏｎｇｏｉｎｇ  ｏｆｆｌｏａｄａｂｌｅ  ｔｒａｆｆｉｃ）を有することを特徴とする請求項１に記載の方法。
【請求項４】
前記端末が前記ＷＬＡＮ移動性セットに含まれる前記１つのターゲットＡＰとの結合に成功した場合、成功を含む前記ＷＬＡＮ結合状態を前記基地局に報告するステップ；をさらに含むことを特徴とする請求項１に記載の方法。
【請求項５】
前記ＷＬＡＮ結合状態は、前記結合に成功した前記１つのターゲットＡＰのＩＤをさらに含むことを特徴とする請求項４に記載の方法。
【請求項６】
前記結合に成功した前記１つのターゲットＡＰの前記ＩＤは、ＳＳＩＤ（ｓｅｒｖｉｃｅ  ｓｅｔ  ｉｄｅｎｔｉｆｉｅｒ）、ＢＳＳＩＤ（ｂａｓｉｃ  ｓｅｒｖｉｃｅ  ｓｅｔ  ｉｄｅｎｔｉｆｉｅｒ）またはＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）のうちの少なくとも１つであることを特徴とする請求項５に記載の方法。
【請求項７】
前記端末のＷＬＡＮモジュールの電源がオン（ＯＮ）の状態であり、前記端末が前記選好されるＡＰに結合されていない場合、前記ＷＬＡＮの測定の結果は、前記基地局に報告されることを特徴とする請求項１に記載の方法。
【請求項８】
前記端末が進行中であるオフローディング可能なトラフィック（ｏｎｇｏｉｎｇ  ｏｆｆｌｏａｄａｂｌｅ  ｔｒａｆｆｉｃ）を有する場合、前記ＷＬＡＮの測定の結果は前記基地局に報告されることを特徴とする請求項１に記載の方法。
【請求項９】
前記ＷＬＡＮ移動性セットは、ＬＴＥ／ＷＬＡＮアグリゲーション（Ａｇｇｒｅｇａｔｉｏｎ）命令メッセージまたはＬＴＥ／ＷＬＡＮインターワーキング（Ｉｎｔｅｒｗｏｒｋｉｎｇ）命令メッセージに含まれて受信されることを特徴とする請求項１に記載の方法。
【請求項１０】
無線通信システムにおけるＷＬＡＮ（Ｗｉｒｅｌｅｓｓ  Ｌｏｃａｌ  Ａｒｅａ  Ｎｅｔｗｏｒｋ）結合状態を報告する端末において、
メモリ；送受信機；及び、前記メモリと前記送受信機に連結されるプロセッサ；を含み、前記プロセッサは、
基地局からＷＬＡＮ測定設定（ＷＬＡＮ  ｍｅａｓｕｒｅｍｅｎｔ  ｃｏｎｆｉｇｕｒａｔｉｏｎ）を受信するように前記送受信機を制御し、
前記端末のＷＬＡＮモジュールの電源がオン（ＯＮ）の状態であり、前記端末が選好されるＡＰ（ｐｒｅｆｅｒｒｅｄ  ａｃｃｅｓｓ  ｐｏｉｎｔ）に結合されていない場合、前記ＷＬＡＮ測定設定に基づいてＷＬＡＮの測定を実行し、
前記ＷＬＡＮの測定の結果を前記基地局に報告するように前記送受信機を制御し、
前記基地局から、複数のターゲットＡＰを含むＷＬＡＮ移動性セット（ｍｏｂｉｌｉｔｙ  ｓｅｔ）を受信するように前記送受信機を制御し、
前記ＷＬＡＮ移動性セットに含まれる１つのターゲットＡＰとの結合を試み、
前記端末が前記１つのターゲットＡＰとの結合に失敗した場合、前記ＷＬＡＮ移動性セットに含まれる他のターゲットＡＰとの結合を試み、
前記端末が前記ＷＬＡＮ移動性セットに含まれる全てのターゲットＡＰとの結合に失敗した場合、失敗を含むＷＬＡＮ結合状態を前記基地局に報告するように前記送受信機を制御することを特徴とする端末。
【発明の詳細な説明】
【技術分野】
【０００１】
[1]  本発明は、無線通信システムに関し、より詳しくは、無線通信システムにおける端末がＷＬＡＮ測定を実行するかどうかを決定する方法及びこれをサポートする装置に関する。
【背景技術】
【０００２】
[2]  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
[3]  一方、無線通信システムは、複数のアクセスネットワークを介したサービスを端末に提供することをサポートすることができる。端末は、モバイル無線通信システムのような３ＧＰＰアクセスネットワークからサービスの提供を受けることができ、また、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＷＬＡＮ（Ｗｉｒｅｌｅｓｓ  Ｌｏｃａｌ  Ａｒｅａ  Ｎｅｔｗｏｒｋ）のような非３ＧＰＰアクセスネットワークからサービスの提供を受けることができる。
【０００４】
[4]  端末は、一般的に３ＧＰＰアクセスネットワークと連結を確立してサービスの提供を受けることができる。一方、３ＧＰＰアクセスネットワークにトラフィック過負荷が発生する場合、端末が処理しようとするトラフィックを他のアクセスネットワーク、即ち、非３ＧＰＰアクセスネットワークを介して処理するようにすることがネットワーク全般の効率性を向上させることができる。このようにトラフィックが３ＧＰＰアクセスネットワーク及び／または非３ＧＰＰアクセスネットワークを介して可変的に処理されることができるようにすることをトラフィックステアリング（ｔｒａｆｆｉｃ  ｓｔｅｅｒｉｎｇ）という。
【０００５】
[5]  トラフィックステアリングのために、端末にはＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎｓ）のように３ＧＰＰアクセスネットワーク及び非３ＧＰＰアクセスネットワーク連動のための政策が設定されることができ、これはネットワークにより設定される連動政策とは別に管理される。
【発明の概要】
【発明が解決しようとする課題】
【０００６】
[6]  基地局は、どのトラフィックがＷＬＡＮによりステアリングされることできるかを知らない。例えば、基地局は、端末が進行中であるオフローディング可能なトラフィック（Ｏｎ−ｇｏｉｎｇ  Ｏｆｆｌｏａｄａｂｌｅ  Ｔｒａｆｆｉｃ）を有しているかどうかを知らない状態で端末にＷＬＡＮ測定を設定することができる。その場合、たとえ、端末が進行中であるオフローディング可能なトラフィックを有していないとしても、端末は、不要なＷＬＡＮ測定及び測定報告を実行しなければならない。また、たとえ、端末が進行中であるオフローディング可能なトラフィックを有していないとしても、基地局は、不要なＷＬＡＮインターワーキング命令を端末に送信しなければならない。したがって、端末がＷＬＡＮ測定を実行するかどうかを決定することが必要である。また、前記ＷＬＡＮ測定を実行した以後、測定結果に基づいてトラフィックオフローディングのために適切なＡＰと結合し、前記結合が成功的に実行されたかどうかを基地局に知らせる必要がある。
【課題を解決するための手段】
【０００７】
[7]  一実施例において、無線通信システムにおける端末がＷＬＡＮ（Ｗｉｒｅｌｅｓｓ  Ｌｏｃａｌ  Ａｒｅａ  Ｎｅｔｗｏｒｋ）測定を実行するかどうかを決定する方法が提供される。前記端末は、ネットワークからＷＬＡＮ測定設定を受信し、ＷＬＡＮの測定を実行するかどうかを決定することを含む。
【０００８】
[8]  第１の条件が満たされる場合、前記端末は、前記ＷＬＡＮの測定を実行しないように決定する。前記第１の条件は、前記端末が進行中であるオフローディング可能なトラフィックを有していない。前記第１の条件は、前記ＷＬＡＮの電源がオフになっている。前記第１の条件は、前記端末が前記ＷＬＡＮと異なるＷＬＡＮに連結されている。前記第１の条件は、前記端末が高い優先順位を有するＡＰと連結されている。
【０００９】
[9]  第２の条件が満たされる場合、前記端末は、前記受信されたＷＬＡＮ測定設定に基づいて前記ＷＬＡＮの測定を実行することをさらに含む。前記第２の条件は、前記端末が進行中であるオフローディング可能なトラフィックを有している。前記第２の条件は、前記ＷＬＡＮの電源がオンになっている。前記第２の条件は、前記端末が高い優先順位を有するＡＰと連結されていない。
【００１０】
[10]  第３の条件が満たされる場合、前記端末は、前記測定の結果をネットワークに報告することをさらに含む。前記第３の条件は、前記端末が進行中であるオフローディング可能なトラフィックを有している。前記第３の条件は、前記ＷＬＡＮの電源がオンになっている。前記第３の条件は、前記端末が高い優先順位を有するＡＰと連結されていない。
【００１１】
[11]  他の実施例において、無線通信システムにおけるＷＬＡＮ（Ｗｉｒｅｌｅｓｓ  Ｌｏｃａｌ  Ａｒｅａ  Ｎｅｔｗｏｒｋ）測定を実行するかどうかを決定する端末が提供される。前記端末は、メモリ；送受信機；及び、前記メモリと前記送受信機を連結するプロセッサ；を含み、前記プロセッサは、前記送受信機がネットワークからＷＬＡＮ測定設定を受信するように制御し、ＷＬＡＮの測定を実行するかどうかを決定するように構成される。
【発明の効果】
【００１２】
[12]  不要なＷＬＡＮ測定及び測定報告が実行されない。
【図面の簡単な説明】
【００１３】
【図１】[13]  ＬＴＥシステムの構造を示す。
【図２】[14]  制御平面に対するＬＴＥシステムの無線インターフェースプロトコルを示す。
【図３】[15]  ユーザ平面に対するＬＴＥシステムの無線インターフェースプロトコルを示す。
【図４】[16]  初期電源がオンになったＲＲＣアイドル状態の端末がセル選択過程を介してネットワークに登録し、必要な場合、セル再選択をする手順を示す。
【図５】[17]  ＲＲＣ接続を設定する過程を示す。
【図６】[18]  ＲＲＣ接続再構成手順を示す。
【図７】[19]  ＲＲＣ接続再確立手順を示す。
【図８】[20]  既存の測定実行方法を示す。
【図９】[21]  無線ＬＡＮ（ｗｉｒｅｌｅｓｓ  ｌｏｃａｌ  ａｒｅａ  ｎｅｔｗｏｒｋ、ＷＬＡＮ）の構造を示す。
【図１０】[22]  ３ＧＰＰアクセスネットワーク及びＷＬＡＮアクセスネットワークが共存する環境の一例を示す。
【図１１】[23]  ＭＡＰＣＯＮに対するレガシーＡＮＤＳＦの一例を示す。
【図１２】[24]  ＭＡＰＣＯＮに対する強化されたＡＮＤＳＦの一例を示す。
【図１３】[25]  本発明の一実施例によって、端末がＷＬＡＮ測定を実行するかどうかを決定し、ＷＬＡＮ結合状態を報告する方法を示す。
【図１４】[26]  本発明の一実施例によって、端末がＷＬＡＮ測定を実行するかどうかを決定する方法を示すブロック図である。
【図１５】[27]  本発明の一実施例によって、端末がＷＬＡＮ結合状態を報告する方法を示すブロック図である。
【図１６】[28]  本発明の実施例が具現される無線通信システムのブロック図である。
【発明を実施するための形態】
【００１４】
[29]  以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００１５】
[30]  説明を明確にするために、ＬＴＥ−Ａを中心に記述するが、本発明の技術的思想がこれに制限されるものではない。
【００１６】
[31]  図１は、ＬＴＥシステムの構造を示す。通信ネットワークは、ＩＭＳ（ＩＰ  ｍｕｌｔｉｍｅｄｉａ  ｓｕｂｓｙｓｔｅｍ）を介したＶｏＩＰ（ｖｏｉｃｅ  ｏｖｅｒ  ＩＰ）及びパケットデータのような多様な通信サービスを提供するために広範囲に配置される。
【００１７】
[32]  図１を参照すると、ＬＴＥシステム構造は、Ｅ−ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（ｅｖｏｌｖｅｄ  ｐａｃｋｅｔ  ｃｏｒｅ）及び一つ以上の端末（ＵＥ；ｕｓｅｒ  ｅｑｕｉｐｍｅｎｔ）１０を含む。ＵＥ１０は、ユーザにより運搬される通信装置を示す。ＵＥ１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）または無線装置（ｗｉｒｅｌｅｓｓ  ｄｅｖｉｃｅ）などと呼ばれることもある。
【００１８】
[33]  Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【００１９】
[34]  以下、ダウンリンク（ＤＬ；ｄｏｗｎｌｉｎｋ）は、ｅＮＢ２０からＵＥ１０への通信を示し、アップリンク（ＵＬ；ｕｐｌｉｎｋ）は、ＵＥ１０からｅＮＢ２０への通信を示す。ＤＬにおいて、送信機はｅＮＢ２０の一部であり、受信機はＵＥ１０の一部である。ＵＬにおいて、送信機はＵＥ１０の一部であり、受信機はｅＮＢ２０の一部である。
【００２０】
[35]  ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）ｇａｔｅｗａｙ）を含むことができる。ＭＭＥ／Ｓ−ＧＷ３０は、ネットワークの端に位置でき、外部ネットワークと連結される。ＭＭＥは、端末の接続情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【００２１】
[36]  ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び常用モバイル警報システム（ＣＭＡＳ）を含む）メッセージ送信サポートなどの多様な機能を提供する。Ｓ−ＧＷホストは、ユーザ別基盤パケットフィルタリング（例えば、深層パケット検査を介して）、合法的な遮断、端末ＩＰ（ｉｎｔｅｒｎｅｔ  ｐｒｏｔｏｃｏｌ）アドレス割当、ＤＬで送信レベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のためにＭＭＥ／Ｓ−ＧＷ３０は、“ゲートウェイ”と単純に表現し、これはＭＭＥ及びＳ−ＧＷを両方とも含むことができる。
【００２２】
[37]  ユーザトラフィック送信または制御トラフィック送信のためのインターフェースが使われることができる。端末１０及びｅＮＢ２０は、Ｕｕインターフェースにより連結されることができる。ｅＮＢ２０は、Ｘ２インターフェースにより相互間連結されることができる。隣接したｅＮＢ２０は、Ｘ２インターフェースによるネットワーク型ネットワーク構造を有することができる。ｅＮＢ２０は、Ｓ１インターフェースによりＥＰＣと連結されることができる。ｅＮＢ２０は、Ｓ１−ＭＭＥインターフェースによりＥＰＣと連結されることができ、Ｓ１−ＵインターフェースによりＳ−ＧＷと連結されることができる。Ｓ１インターフェースは、ｅＮＢ２０とＭＭＥ／Ｓ−ＧＷ３０との間に多対多数関係（ｍａｎｙ−ｔｏ−ｍａｎｙ−ｒｅｌａｔｉｏｎ）をサポートする。
【００２３】
[38]  ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）の間にゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬで端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で連結移動性制御機能を実行することができる。前記言及のように、ゲートウェイ３０は、ＥＰＣでページング開始、ＬＴＥアイドル状態管理、ユーザ平面の暗号化、ＳＡＥベアラ制御及びＮＡＳシグナリングの暗号化と無欠性保護機能を実行することができる。
【００２４】
[39]  図２は、制御平面に対するＬＴＥシステムの無線インターフェースプロトコルを示す。図３は、ユーザ平面に対するＬＴＥシステムの無線インターフェースプロトコルを示す。
【００２５】
[40]  端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的に物理階層、データリンク階層（ｄａｔａｌｉｎｋ  ｌａｙｅｒ）、及びネットワーク階層（ｎｅｔｗｏｒｋ  ｌａｙｅｒ）に区分されることができ、垂直的に制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）で存在でき、これはＵｕインターフェースのデータ送信を担当することができる。
【００２６】
[41]  物理階層（ＰＨＹ；ｐｈｙｓｉｃａｌ  ｌａｙｅｒ）は、Ｌ１に属する。物理階層は、物理チャネルを介して上位階層に情報送信サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して連結される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間のデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００２７】
[42]  物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連するＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００２８】
[43]  物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの最初のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。サブフレーム一つの長さは、１ｍｓである。
【００２９】
[44]  トランスポートチャネルは、チャネルが共有されるかどうかによって共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビームフォーミングの使用を可能にすることができる。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００３０】
[45]  端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビームフォーミングの使用を可能にすることができる。ＲＡＣＨは、一般的にセルへの初期接続に使われる。
【００３１】
[46]  Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ送信サービスを提供する。
【００３２】
[47]  論理チャネルは、送信される情報の種類によって、制御平面の情報伝達のための制御チャネルとユーザ平面の情報伝達のためのトラフィックチャネルとに分けられる。即ち、論理チャネルタイプのセットは、ＭＡＣ階層により提供される他のデータ送信サービスのために定義される。論理チャネルは、トランスポートチャネルの上位に位置してトランスポートチャネルにマッピングされる。
【００３３】
[48]  制御チャネルは、制御平面の情報伝達のみのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続を有しない時、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００３４】
[49]  トラフィックチャネルは、ユーザ平面の情報伝達のみのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルで一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３５】
[50]  論理チャネルとトランスポートチャネルとの間のアップリンク連結は、ＵＬ−ＳＣＨにマッピングされることができるＤＣＣＨ、ＵＬ−ＳＣＨにマッピングされることができるＤＴＣＨ、及びＵＬ−ＳＣＨにマッピングされることができるＣＣＣＨを含む。論理チャネルとトランスポートチャネルとの間のダウンリンク連結は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ、及びＭＣＨにマッピングされることができるＭＴＣＨを含む。
【００３６】
[51]  ＲＬＣ階層は、Ｌ２に属する。ＲＬＣ階層の機能は、下位階層がデータの送信に適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）、及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しないこともある。
【００３７】
[52]  ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって無線セクションで送信効率を上げる。さらに、ＰＤＣＰ階層は、セキュリティ機能を提供する。セキュリティ機能は、第３者の検査を防止する暗号化及び第３者のデータ操作を防止する無欠性保護を含む。
【００３８】
[53]  ＲＲＣ（ｒａｄｉｏ  ｒｅｓｏｕｒｃｅ  ｃｏｎｔｒｏｌ）階層は、Ｌ３に属する。Ｌ３の最も下段部分に位置するＲＲＣ階層は、制御平面でのみ定義される。ＲＲＣ階層は、端末とネットワークとの間の無線リソースを制御する役割を実行する。そのために、端末とネットワークは、ＲＲＣ階層を介してＲＲＣメッセージを交換する。ＲＲＣ階層は、ＲＢの構成（ｃｏｎｆｉｇｕｒａｔｉｏｎ）、再構成（ｒｅ−ｃｏｎｆｉｇｕｒａｔｉｏｎ）、及び解除（ｒｅｌｅａｓｅ）と関連して論理チャネル、トランスポートチャネル、及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるということは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００３９】
[54]  ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を実行する。
【００４０】
[55]  図２を参照すると、ＲＬＣ及びＭＡＣ階層（ネットワーク側でｅＮＢで終了）は、スケジューリング、ＡＲＱ及びＨＡＲＱのような機能を実行することができる。ＲＲＣ階層（ネットワーク側でｅＮＢで終了）は、放送、ページング、ＲＲＣ接続管理、ＲＢ制御、移動性機能及び端末測定報告／制御のような機能を実行することができる。ＮＡＳ制御プロトコル（ネットワーク側でゲートウェイのＭＭＥで終了）は、ＳＡＥベアラ管理、認証、ＬＴＥ＿ＩＤＬＥ移動性ハンドリング、ＬＴＥ＿ＩＤＬＥでページング開始及び端末とゲートウェイとの間のシグナリングのためのセキュリティ制御のような機能を実行することができる。
【００４１】
[56]  図３を参照すると、ＲＬＣ及びＭＡＣ階層（ネットワーク側でｅＮＢで終了）は、制御平面での機能と同じ機能を実行することができる。ＰＤＣＰ階層（ネットワーク側でｅＮＢで終了）は、ヘッダ圧縮、無欠性保護及び暗号化のようなユーザ平面機能を実行することができる。
【００４２】
[57]  以下、端末のＲＲＣ状態（ＲＲＣ  ｓｔａｔｅ）とＲＲＣ接続方法に対して詳述する。
【００４３】
[58]  ＲＲＣ状態は、端末のＲＲＣ階層がＥ−ＵＴＲＡＮのＲＲＣ階層と論理的に連結されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。端末のＲＲＣ階層とＥ−ＵＴＲＡＮのＲＲＣ階層との間のＲＲＣ接続が設定されている時、端末は、ＲＲＣ接続状態になり、そうでない場合、端末は、ＲＲＣアイドル状態になる。ＲＲＣ＿ＣＯＮＮＥＣＴＥＤの端末は、Ｅ−ＵＴＲＡＮとＲＲＣ接続が設定されているため、Ｅ−ＵＴＲＡＮは、ＲＲＣ＿ＣＯＮＮＥＣＴＥＤの端末の存在を把握することができ、端末を効果的に制御することができる。一方、Ｅ−ＵＴＲＡＮは、ＲＲＣ＿ＩＤＬＥの端末を把握することができず、核心ネットワーク（ＣＮ；ｃｏｒｅ  ｎｅｔｗｏｒｋ）がセルより大きい領域であるトラッキング領域（ｔｒａｃｋｉｎｇ  ａｒｅａ）単位で端末を管理する。即ち、ＲＲＣ＿ＩＤＬＥの端末は、より大きい領域の単位で存在のみが把握され、音声またはデータ通信のような通常の移動通信サービスを受けるために、端末は、ＲＲＣ＿ＣＯＮＮＥＣＴＥＤに遷移しなければならない。
【００４４】
[59]  ＲＲＣ＿ＩＤＬＥ状態で、端末がＮＡＳにより設定されたＤＲＸ（ｄｉｓｃｏｎｔｉｎｕｏｕｓ  ｒｅｃｅｐｔｉｏｎ）を指定する間に、端末は、システム情報及びページング情報の放送を受信することができる。そして、端末は、トラッキング領域で端末を固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥ状態で、どのようなＲＲＣ  ｃｏｎｔｅｘｔもｅＮＢに格納されない。
【００４５】
[60]  ＲＲＣ＿ＣＯＮＮＥＣＴＥＤ状態で、端末は、Ｅ−ＵＴＲＡＮでＥ−ＵＴＲＡＮ  ＲＲＣ接続及びＲＲＣ  ｃｏｎｔｅｘｔを有し、ｅＮＢにデータを送信及び／またはｅＮＢからデータを受信することが可能である。また、端末は、ｅＮＢにチャネル品質情報及びフィードバック情報を報告することができる。ＲＲＣ＿ＣＯＮＮＥＣＴＥＤ状態で、Ｅ−ＵＴＲＡＮは、端末が属するセルを知ることができる。したがって、ネットワークは、端末にデータを送信及び／または端末からデータを受信することができ、ネットワークは、端末の移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、ネットワークは、隣接セルのためにセル測定を実行することができる。
【００４６】
[61]  ＲＲＣ＿ＩＤＬＥ状態で、端末は、ページングＤＲＸ周期を指定する。具体的に、端末は、端末特定ページングＤＲＸ周期毎の特定ページングオケージョン（ｐａｇｉｎｇ  ｏｃｃａｓｉｏｎ）にページング信号をモニタリングする。ページングオケージョンは、ページング信号が送信される間の時間間隔である。端末は、自分のみのページングオケージョンを有している。
【００４７】
[62]  ページングメッセージは、同じトラッキング領域に属する全てのセルにわたって送信される。もし、端末が一つのトラッキング領域から他の一つのトラッキング領域に移動すると、端末は、位置をアップデートするためにＴＡＵ（ｔｒａｃｋｉｎｇ  ａｒｅａ  ｕｐｄａｔｅ）メッセージをネットワークに送信する。
【００４８】
[63]  ユーザが端末の電源を最初オンにした時、まず、端末は、適切なセルを探索した後、該当セルでＲＲＣ＿ＩＤＬＥにとどまる。ＲＲＣ接続を確立する必要がある時、ＲＲＣ＿ＩＤＬＥ状態の端末は、ＲＲＣ接続手順を介してＥ−ＵＴＲＡＮのＲＲＣとＲＲＣ接続を確立してＲＲＣ＿ＣＯＮＮＥＣＴＥＤに遷移できる。ＲＲＣ＿ＩＤＬＥ状態の端末は、ユーザの通話試みなどの理由でアップリンクデータ送信が必要な時、またはＥ−ＵＴＲＡＮからページングメッセージを受信し、これに対する応答メッセージ送信が必要な時などにＥ−ＵＴＲＡＮとＲＲＣ接続を確立する必要がある。
【００４９】
[64]  ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態となる。
【００５０】
[65]  端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態となる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態となる。端末がＥＣＭ−ＩＤＬＥ状態にある時、Ｅ−ＵＴＲＡＮは、端末のｃｏｎｔｅｘｔ情報を有していない。したがって、ＥＣＭ−ＩＤＬＥ状態の端末は、ネットワークの命令を受ける必要無しで、セル選択（ｃｅｌｌ  ｓｅｌｅｃｔｉｏｎ）またはセル再選択（ｒｅｓｅｌｅｃｔｉｏｎ）のような端末ベースの移動性関連手順を実行する。それに対し、端末がＥＣＭ−ＣＯＮＮＥＣＴＥＤ状態にある時、端末の移動性は、ネットワークの命令により管理される。ＥＣＭ−ＩＤＬＥ状態で端末の位置が、ネットワークが知っている位置と変わる場合、端末は、トラッキング領域更新（Ｔｒａｃｋｉｎｇ  Ａｒｅａ  Ｕｐｄａｔｅ）手順を介してネットワークに端末の該当位置を知らせる。
【００５１】
[66]  図４は、初期電源がオンになったＲＲＣアイドル状態の端末がセル選択過程を介してネットワークに登録し、必要な場合、セル再選択をする手順を示す。
【００５２】
[67]  図４を参照すると、端末は、自分がサービスを受けようとするネットワークであるＰＬＭＮ（ｐｕｂｌｉｃ  ｌａｎｄ  ｍｏｂｉｌｅ  ｎｅｔｗｏｒｋ）と通信するためのラジオアクセス技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することができ、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されていることを使用することもできる。
【００５３】
[68]  端末は、測定した基地局と信号強度や品質が特定の値より大きいセルの中から最も大きい値を有するセルを選択する（Ｃｅｌｌ  Ｓｅｌｅｃｔｉｏｎ）（Ｓ４２０）。これは電源がオンになった端末がセル選択を実行することであり、初期セル選択（ｉｎｉｔｉａｌ  ｃｅｌｌ  ｓｅｌｅｃｔｉｏｎ）ということができる。セル選択手順に対して以後に詳述する。セル選択以後、端末は、基地局が周期的に送るシステム情報を受信する。前記特定の値は、データ送／受信での物理的信号に対する品質の保証を受けるためにシステムで定義された値を意味する。したがって、その値は、適用されるＲＡＴによって異なる。
【００５４】
[69]  端末は、ネットワーク登録必要がある場合、ネットワーク登録手順を実行する（Ｓ４３０）。端末は、ネットワークからサービス（例：Ｐａｇｉｎｇ）を受けるために自分の情報（例：ＩＭＳＩ）を登録する。端末は、セルを選択するたびに接続するネットワークに登録をするものではなく、システム情報から受けたネットワークの情報（例：Ｔｒａｃｋｉｎｇ  Ａｒｅａ  Ｉｄｅｎｔｉｔｙ；ＴＡＩ）と自分が知っているネットワークの情報が異なる場合にネットワークに登録をする。
【００５５】
[70]  端末は、セルで提供されるサービス環境または端末の環境などに基づいてセル再選択を実行する（Ｓ４４０）。端末は、サービスを受けている基地局から測定した信号の強度や品質の値が隣接したセルの基地局から測定した値より低い場合、端末が接続した基地局のセルより良い信号特性を提供する他のセルの中から一つを選択する。この過程を２番過程の初期セル選択（Ｉｎｉｔｉａｌ  Ｃｅｌｌ  Ｓｅｌｅｃｔｉｏｎ）と区分するためにセル再選択（Ｃｅｌｌ  Ｒｅ−Ｓｅｌｅｃｔｉｏｎ）という。このとき、信号特性の変化によって頻繁にセルが再選択されることを防止するために時間的な制約条件をおく。セル再選択手順に対して以後に詳述する。
【００５６】
[71]  図５は、ＲＲＣ接続を設定する過程を示す。
【００５７】
[72]  端末は、ＲＲＣ接続を要求するＲＲＣ接続要求（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ接続要求に対する応答としてＲＲＣ接続設定（ＲＲＣ  Ｃｏｎｎｅｃｔｉｏｎ  Ｓｅｔｕｐ）メッセージを送る（Ｓ５２０）。ＲＲＣ接続設定メッセージを受信した後、端末は、ＲＲＣ接続モードに進入する。
【００５８】
[73]  端末は、ＲＲＣ接続確立の成功的な完了を確認するために使われるＲＲＣ接続設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００５９】
[74]  図６は、ＲＲＣ接続再構成手順を示す。
【００６０】
[75]  ＲＲＣ接続再構成（ｒｅｃｏｎｆｉｇｕｒａｔｉｏｎ）は、ＲＲＣ接続の修正に使われる。これはＲＢ構成／修正（ｍｏｄｉｆｙ）／解除（ｒｅｌｅａｓｅ）、ハンドオーバ実行、測定セットアップ／修正／解除するために使われる。
【００６１】
[76]  ネットワークは、端末にＲＲＣ接続を修正するためのＲＲＣ接続再構成（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ接続再構成に対する応答として、ＲＲＣ接続再構成の成功的な完了を確認するために使われるＲＲＣ接続再構成完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００６２】
[77]  以下、端末がセルを選択する手順に対して詳細に説明する。
【００６３】
[78]  電源がオンになり、またはセルにとどまっている時、端末は、適切な品質のセルを選択／再選択してサービスを受けるための手順を実行する。
【００６４】
[79]  ＲＲＣアイドル状態の端末は、常に適切な品質のセルを選択し、このセルを介してサービスの提供を受けるための準備をしなければならない。例えば、電源がオンになった端末は、ネットワークに登録をするために適切な品質のセルを選択しなければならない。ＲＲＣ接続状態の前記端末がＲＲＣアイドル状態に進入すると、前記端末は、ＲＲＣアイドル状態でとどまるセルを選択しなければならない。このように、前記端末がＲＲＣアイドル状態のようなサービス待機状態にとどまっているために、ある条件を満たすセルを選択する過程をセル選択（Ｃｅｌｌ  Ｓｅｌｅｃｔｉｏｎ）という。重要な点は、前記セル選択は、前記端末が前記ＲＲＣアイドル状態にとどまっているセルを現在決定することができない状態で実行するため、可能な限り速やかにセルを選択することが何より重要である。したがって、一定基準以上の無線信号品質を提供するセルの場合は、たとえ、このセルが端末に最も良い無線信号品質を提供するセルでないとしても、端末のセル選択過程で選択されることができる。
【００６５】
[80]  以下、３ＧＰＰ  ＬＴＥにおいて、端末がセルを選択する方法及び手順に対して詳述する。
【００６６】
[81]  セル選択過程は、大いに、二つに分けられる。
【００６７】
[82]  まず、初期セル選択過程であって、この過程では前記端末が無線チャネルに対する事前情報がない。したがって、前記端末は、適切なセルを探すために全ての無線チャネルを検索する。各チャネルで、前記端末は、最も強いセルを探す。以後、前記端末がセル選択基準を満たす適切な（ｓｕｉｔａｂｌｅ）セルを探した時、該当セルを選択する。
【００６８】
[83]  次に、端末は、格納された情報を活用し、またはセルで放送している情報を活用してセルを選択することができる。したがって、初期セル選択過程に比べてセル選択が迅速である。端末がセル選択基準を満たすセルを探した時、該当セルを選択する。もし、この過程を介してセル選択基準を満たす適切なセルを探すことができない場合、端末は、初期セル選択過程を実行する。
【００６９】
[84]  前記端末がセル選択過程を介してどんなセルを選択した以後、端末の移動性または無線環境の変化などで、端末と基地局との間の信号の強度や品質が変わることができる。したがって、もし、選択したセルの品質が低下される場合、端末は、より良い品質を提供する他のセルを選択することができる。このようにセルを再び選択する場合、一般的に現在選択されたセルより良い信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最も良い品質を提供するセルを選択することに基本的な目的がある。
【００７０】
[85]  無線信号の品質観点以外に、ネットワークは、周波数別に優先順位を決定して端末に知らせることができる。このような優先順位を受信した端末は、セル再選択過程でこの優先順位を無線信号品質基準より優先的に考慮するようになる。
【００７１】
[86]  前記のように無線環境の信号特性によってセルを選択または再選択する方法があり、セル再選択時、再選択のためのセルを選択するにあたって、セルのＲＡＴと周波数（ｆｒｅｑｕｅｎｃｙ）特性によって下記のようなセル再選択方法がある。
【００７２】
[87]  −イントラ周波数（Ｉｎｔｒａ−ｆｒｅｑｕｅｎｃｙ）セル再選択：端末がキャンプ（ｃａｍｐ）中であるセルと同じＲＡＴと同じ中心周波数（ｃｅｎｔｅｒ−ｆｒｅｑｕｅｎｃｙ）を有するセルを再選択
【００７３】
[88]  −インター周波数（Ｉｎｔｅｒ−ｆｒｅｑｕｅｎｃｙ）セル再選択：端末がキャンプ中であるセルと同じＲＡＴと異なる中心周波数を有するセルを再選択
【００７４】
[89]  −インターＲＡＴ（Ｉｎｔｅｒ−ＲＡＴ）セル再選択：端末がキャンプ中であるＲＡＴと異なるＲＡＴを使用するセルを再選択
【００７５】
[90]  セル再選択過程の原則は、下記の通りである。
【００７６】
[91]  第一に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【００７７】
[92]  第二に、セル再選択は、セル再選択基準に基づいて実行される。セル再選択基準は、サービングセル及び隣接セル測定に関連して以下のような特性を有している。
【００７８】
[93]  イントラ周波数セル再選択は、基本的にランキング（ｒａｎｋｉｎｇ）に基づいて行われる。ランキングとは、セル再選択評価のための指標値を定義し、この指標値を利用してセルを指標値の大きさ順に順序付ける作業である。最も良い指標を有するセルを一般的に最高順位セル（ｈｉｇｈｅｓｔ  ｒａｎｋｅｄ  ｃｅｌｌ）と呼ぶ。セル指標値は、端末が該当セルに対して測定した値を基本にして、必要によって周波数オフセットまたはセルオフセットを適用した値である。
【００７９】
[94]  インター周波数セル再選択は、ネットワークにより提供された周波数優先順位に基づいて行われる。端末は、最も高い周波数優先順位を有する周波数にとどまる（ｃａｍｐ  ｏｎ）するように試みる。ネットワークは、ブロードキャストシグナリング（ｂｒｏａｄｃａｓｔ  ｓｉｇｎａｌｉｎｇ）を介してセル内の端末が共通的に適用する周波数優先順位を提供し、または、端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）ということができ、端末別にネットワークが設定するセル再選択優先順位を専用優先順位（ｄｅｄｉｃａｔｅｄ  ｐｒｉｏｒｉｔｙ）ということができる。端末は、専用優先順位を受信すると、専用優先順位と関連した有効時間（ｖａｌｉｄｉｔｙ  ｔｉｍｅ）を共に受信することができる。端末は、専用優先順位を受信すると、共に受信した有効時間として設定された有効性タイマ（ｖａｌｉｄｉｔｙ  ｔｉｍｅｒ）を開始する。端末は、有効性タイマが動作する間に、ＲＲＣアイドルモードで専用優先順位を適用する。有効性タイマが満了されると、端末は、専用優先順位を廃棄し、再び共用優先順位を適用する。
【００８０】
[95]  インター周波数セル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【００８１】
[96]  イントラ周波数セル再選択またはインター周波数セル再選択のために、ネットワークは、端末にセル再選択に使われる隣接セルリスト（Ｎｅｉｇｈｂｏｒｉｎｇ  Ｃｅｌｌ  Ｌｉｓｔ、ＮＣＬ）を端末に提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【００８２】
[97]  イントラ周波数またはインター周波数セル再選択のために、ネットワークは、端末にセル再選択に使われるセル再選択禁止リスト（ｂｌａｃｋ  ｌｉｓｔ）を端末に提供することができる。禁止リストに含まれているセルに対し、端末は、セル再選択を実行しない。
【００８３】
[98]  次に、セル再選択評価過程で実行するランキングに対して説明する。
【００８４】
[99]  セルの優先順位付けに使われるランキング指標（ｒａｎｋｉｎｇ  ｃｒｉｔｅｒｉｏｎ）は、数式１のように定義される。
【００８５】
[100]
【数１】
0006588627.tif 000002
【００８６】
[101]  ここで、Ｒｓはサービングセルのランキング指標であり、Ｒｎは隣接セルのランキング指標であり、Ｑｍｅａｓ、ｓは端末がサービングセルに対して測定した品質値であり、Ｑｍｅａｓ、ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【００８７】
[102]  イントラ周波数で、端末がサービングセルと隣接セルとの間のオフセット（Ｑｏｆｆｓｅｔｓ、ｎ）を受信した場合にはＱｏｆｆｓｅｔ＝Ｑｏｆｆｓｅｔｓ、ｎであり、端末がＱｏｆｆｓｅｔｓ、ｎを受信しない場合にはＱｏｆｆｓｅｔ＝０である。
【００８８】
[103]  インター周波数で、端末が該当セルに対するオフセット（Ｑｏｆｆｓｅｔｓ、ｎ）を受信した場合、Ｑｏｆｆｓｅｔ＝Ｑｏｆｆｓｅｔｓ、ｎ＋Ｑｆｒｅｑｕｅｎｃｙであり、端末がＱｏｆｆｓｅｔｓ、ｎを受信しない場合、Ｑｏｆｆｓｅｔ＝Ｑｆｒｅｑｕｅｎｃｙである。
【００８９】
[104]  サービングセルのランキング指標（Ｒｓ）と隣接セルのランキング指標（Ｒｎ）が互いに類似している状態で変動すると、変動結果、ランキング順位が頻繁に変わって端末が二つのセルを交互に再選択することができる。Ｑｈｙｓｔは、セル再選択でヒステリシスを与え、端末が二つのセルを交互に再選択することを防止のためのパラメータである。
【００９０】
[105]  端末は、前記数式によってサービングセルのＲｓ及び隣接セルのＲｎを測定し、ランキング指標値が最も大きい値を有するセルを最高順位（ｈｉｇｈｅｓｔ  ｒａｎｋｅｄ）セルと見なし、このセルを再選択する。もし、再選択したセルが正規セル（ｓｕｉｔａｂｌｅ  ｃｅｌｌ）でない場合、端末は、該当周波数または該当セルをセル再選択対象から除外する。
【００９１】
[106]  図７は、ＲＲＣ接続再確立手順を示す。
【００９２】
[107]  図７を参照すると、端末は、ＳＲＢ  ０（Ｓｉｇｎａｌｉｎｇ  Ｒａｄｉｏ  Ｂｅａｒｅｒ  ＃０）を除外して設定された全ての無線ベアラ（ｒａｄｉｏ  ｂｅａｒｅｒ）使用を中断し、ＡＳ（Ａｃｃｅｓｓ  Ｓｔｒａｔｕｍ）の各種副階層を初期化させる（Ｓ７１０）。また、各副階層及び物理階層を基本構成（ｄｅｆａｕｌｔ  ｃｏｎｆｉｇｕｒａｔｉｏｎ）として設定する。このような過程中、端末は、ＲＲＣ接続状態を維持する。
【００９３】
[108]  端末は、ＲＲＣ接続再確立手順を実行するためのセル選択手順を実行する（Ｓ７２０）。ＲＲＣ接続再確立手順のうちセル選択手順は、端末がＲＲＣ接続状態を維持しているにもかかわらず、端末がＲＲＣアイドル状態で実行するセル選択手順と同じく実行されることができる。
【００９４】
[109]  端末は、セル選択手順を実行した後、該当セルのシステム情報を確認して該当セルが適したセルかどうかを判断する（Ｓ７３０）。もし、選択されたセルが適切なＥ−ＵＴＲＡＮセルと判断された場合、端末は、該当セルとＲＲＣ接続再確立要求メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を送信する（Ｓ７４０）。
【００９５】
[110]  一方、ＲＲＣ接続再確立手順を実行するためのセル選択手順を介して選択されたセルがＥ−ＵＴＲＡＮ以外の他のＲＡＴを使用するセルと判断された場合、ＲＲＣ接続再確立手順を中断し、端末は、ＲＲＣアイドル状態に進入する（Ｓ７５０）。
【００９６】
[111]  端末は、セル選択手順及び選択したセルのシステム情報受信を介してセルの適切性確認は、制限された時間内に終えるように具現されることができる。そのために、端末は、ＲＲＣ接続再確立手順を開始することによってタイマを駆動させることができる。タイマは、端末が適したセルを選択したと判断された場合、中断されることができる。タイマが満了された場合、端末は、ＲＲＣ接続再確立手順が失敗したと見なしてＲＲＣアイドル状態に進入できる。このタイマを以下で無線リンク失敗タイマという。ＬＴＥスペックＴＳ３６．３３１ではＴ３１１という名称のタイマが無線リンク失敗タイマとして活用されることができる。端末は、このタイマの設定値をサービングセルのシステム情報から取得できる。
【００９７】
[112]  端末からＲＲＣ接続再確立要求メッセージを受信して要求を受諾した場合、セルは、端末にＲＲＣ接続再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を送信する。
【００９８】
[113]  セルからＲＲＣ接続再確立メッセージを受信した端末は、ＳＲＢ１に対するＰＤＣＰ副階層とＲＬＣ副階層を再構成する。また、セキュリティ設定と関連した各種キー値を再び計算し、セキュリティを担当するＰＤＣＰ副階層を新しく計算したセキュリティキー値で再構成する。それによって、端末とセルとの間のＳＲＢ１が開放されてＲＲＣ制御メッセージをやり取りすることができるようになる。端末は、ＳＲＢ１の再開を完了し、セルにＲＲＣ接続再確立手順が完了したというＲＲＣ接続再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を送信する（Ｓ７６０）。
【００９９】
[114]  それに対し、端末からＲＲＣ接続再確立要求メッセージを受信して要求を受諾しない場合、セルは、端末にＲＲＣ接続再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を送信する。
【０１００】
[115]  ＲＲＣ接続再確立手順が成功的に実行されると、セルと端末は、ＲＲＣ接続再確立手順を実行する。それによって、端末は、ＲＲＣ接続再確立手順を実行する前の状態を回復し、サービスの連続性を最大限保障する。
【０１０１】
[116]  図８は、既存の測定実行方法を示す。
【０１０２】
[117]  端末は、基地局から測定設定（ｍｅａｓｕｒｅｍｅｎｔ  ｃｏｎｆｉｇｕｒａｔｉｏｎ）情報を受信する（Ｓ８１０）。測定設定情報を含むメッセージを測定設定メッセージという。端末は、測定設定情報に基づいて測定を実行する（Ｓ８２０）。端末は、測定結果が測定設定情報内の報告条件を満たす場合、測定結果を基地局に報告する（Ｓ８３０）。測定結果を含むメッセージを測定報告メッセージという。
【０１０３】
[118]  測定設定情報は、下記のような情報を含むことができる。
【０１０４】
[119]  （１）測定対象（Ｍｅａｓｕｒｅｍｅｎｔ  ｏｂｊｅｃｔ）情報：端末が測定を実行する対象に対する情報である。測定対象は、セル内測定の対象であるイントラ周波数測定対象、セル間測定の対象であるインター周波数測定対象、及びインターＲＡＴ測定の対象であるインターＲＡＴ測定対象のうち少なくともいずれか一つを含む。例えば、イントラ周波数測定対象は、サービングセルと同じ周波数バンドを有する隣接セルを指示し、インター周波数測定対象は、サービングセルと異なる周波数バンドを有する隣接セルを指示し、インターＲＡＴ測定対象は、サービングセルのＲＡＴと異なるＲＡＴの隣接セルを指示することができる。
【０１０５】
[120]  （２）報告設定（Ｒｅｐｏｒｔｉｎｇ  ｃｏｎｆｉｇｕｒａｔｉｏｎ）情報：端末が測定結果を送信することをいつ報告するかに対する報告条件及び報告タイプ（ｔｙｐｅ）に対する情報である。報告設定情報は、報告設定のリストで構成されることができる。各報告設定は、報告基準（ｒｅｐｏｒｔｉｎｇ  ｃｒｉｔｅｒｉｏｎ）及び報告フォーマット（ｒｅｐｏｒｔｉｎｇ  ｆｏｒｍａｔ）を含むことができる。報告基準は、端末が測定結果を送信することをトリガする基準である。報告基準は、測定報告の周期または測定報告のための単一イベントである。報告フォーマットは、端末が測定結果をどのようなタイプで構成するかに対する情報である。
【０１０６】
[121]  （３）測定識別子（Ｍｅａｓｕｒｅｍｅｎｔ  ｉｄｅｎｔｉｔｙ）情報：測定対象と報告設定を連関させ、端末がどのような測定対象に対していつどのようなタイプに報告するかを決定するようにする測定識別子に対する情報である。測定識別子情報は、測定報告メッセージに含まれ、測定結果がどのような測定対象に対することであり、測定報告がどのような報告条件で発生したかを示すことができる。
【０１０７】
[122]  （４）量的設定（Ｑｕａｎｔｉｔｙ  ｃｏｎｆｉｇｕｒａｔｉｏｎ）情報：測定単位、報告単位及び／または測定結果値のフィルタリングを設定するためのパラメータに対する情報である。
【０１０８】
[123]  （５）測定ギャップ（Ｍｅａｓｕｒｅｍｅｎｔ  ｇａｐ）情報：ダウンリンク送信またはアップリンク送信がスケジューリングされなくて、端末がサービングセルとのデータ送信に対する考慮無しで測定のみのために使われることができる区間である測定ギャップに対する情報である。
【０１０９】
[124]  端末は、測定手順を実行するために、測定対象リスト、測定報告設定リスト及び測定識別子リストを有している。
【０１１０】
[125]  ３ＧＰＰ  ＬＴＥにおいて、基地局は、端末に一つの周波数バンドに対して一つの測定対象のみを設定することができる。表１は、測定報告が誘発されるイベントである。端末の測定結果が設定されたイベントを満たす場合、端末は、測定報告メッセージを基地局に送信する。
【０１１１】
[126]
【表１】
0006588627.tif 000003
【０１１２】
[127]  測定報告は、測定識別子、サービングセルの測定された品質及び隣接セル（ｎｅｉｇｈｂｏｒｉｎｇ  ｃｅｌｌ）の測定結果を含むことができる。測定識別子は、測定報告がトリガされた測定対象を識別する。隣接セルの測定結果は、隣接セルのセル識別子及び測定された品質を含むことができる。測定された品質は、ＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）のうち少なくとも一つを含むことができる。
【０１１３】
[128]  図９は、無線ＬＡＮ（ｗｉｒｅｌｅｓｓ  ｌｏｃａｌ  ａｒｅａ  ｎｅｔｗｏｒｋ、ＷＬＡＮ）の構造を示す。図９（ａ）は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。図９（ｂ）は、独立ＢＳＳを示す。
【０１１４】
[129]  図９（ａ）を参照すると、無線ＬＡＮシステムは、一つまたはそれ以上の基本サービスセット（Ｂａｓｉｃ  Ｓｅｒｖｉｃｅ  Ｓｅｔ、ＢＳＳ）９００、９０５を含むことができる。ＢＳＳ９００、９０５は、成功的に同期化されて互いに通信できるＡＰ（ａｃｃｅｓｓ  ｐｏｉｎｔ）９２５及びＳＴＡ１（Ｓｔａｔｉｏｎ）９００−１のようなＡＰとＳＴＡのセットであって、特定領域を示す概念ではない。ＢＳＳ９０５は、一つのＡＰ９３０に一つ以上の結合可能なＳＴＡ９０５−１、９０５−２を含むこともできる。
【０１１５】
[130]  インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ９２５、９３０及び多数のＡＰを連結させる分散システム（Ｄｉｓｔｒｉｂｕｔｉｏｎ  Ｓｙｓｔｅｍ、ＤＳ）９１０を含むことができる。
【０１１６】
[131]  分散システム９１０は、多数のＢＳＳ９００、９０５を連結して拡張されたサービスセットであるＥＳＳ（ｅｘｔｅｎｄｅｄ  ｓｅｒｖｉｃｅ  ｓｅｔ）９４０を具現することができる。ＥＳＳ９４０は、一つまたは複数個のＡＰ９２５、９３０が分散システム９１０を介して連結してなされた一つのネットワークを指示する用語として使われることができる。一つのＥＳＳ９４０に含まれるＡＰは、同じＳＳＩＤ（ｓｅｒｖｉｃｅ  ｓｅｔ  ｉｄｅｎｔｉｆｉｃａｔｉｏｎ）を有することができる。
【０１１７】
[132]  ポータル（ｐｏｒｔａｌ）９２０は、無線ＬＡＮネットワーク（ＩＥＥＥ８０２．１１）と他のネットワーク（例えば、８０２．Ｘ）との連結を実行するブリッジ役割を遂行することができる。
【０１１８】
[133]  図９（ａ）のようなインフラストラクチャネットワークでは、ＡＰ９２５、９３０間のネットワーク及びＡＰ９２５、９３０とＳＴＡ９００−１、９０５−１、９０５−２との間のネットワークが具現されることができる。しかし、ＡＰ９２５、９３０無しでＳＴＡ間でもネットワークを設定して通信を実行することも可能である。ＡＰ９２５、９３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ）と定義する。
【０１１９】
[134]  図９（ｂ）を参照すると、独立ＢＳＳ（ｉｎｄｅｐｅｎｄｅｎｔ  ＢＳＳ、ＩＢＳＳ）は、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳでは、ＳＴＡ９５０−１、９５０−２、９５０−３、９５５−４、９５５−５が分散された方式（ｄｉｓｔｒｉｂｕｔｅｄ  ｍａｎｎｅｒ）で管理される。ＩＢＳＳでは、全てのＳＴＡ９５０−１、９５０−２、９５０−３、９５５−４、９５５−５が移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）をなす。
【０１２０】
[135]  ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であって、広義では、ＡＰと非ＡＰ  ＳＴＡ（Ｎｏｎ−ＡＰ  Ｓｔａｔｉｏｎ）を両方とも含む意味で使われることができる。
【０１２１】
[136]  ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動加入者ユニット（Ｍｏｂｉｌｅ  Ｓｕｂｓｃｒｉｂｅｒ  Ｕｎｉｔ）または単純にユーザ（ｕｓｅｒ）などの多様な名称とも呼ばれる。
【０１２２】
[137]  以下、３ＧＰＰアクセスネットワークと他のアクセスネットワークとの間のインターワーキング（ｉｎｔｅｒｗｏｒｋｉｎｇ）に対して説明する。
【０１２３】
[138]  ３ＧＰＰでは、Ｒｅｌ−８から非３ＧＰＰアクセスネットワーク（例えば、ＷＬＡＮ）との連動を導入しながら接続可能なアクセスネットワークを発見し、選択するためのＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎｓ）を規格化した。ＡＮＤＳＦは、端末の位置で接続可能なアクセスネットワーク発見情報（例えば、ＷＬＡＮ、ＷｉＭＡＸ位置情報等）、事業者の政策を反映させることができるシステム間移動性政策（Ｉｎｔｅｒ−Ｓｙｓｔｅｍ  Ｍｏｂｉｌｉｔｙ  Ｐｏｌｉｃｉｅｓ；ＩＳＭＰ）、システム間ルーティング政策（Ｉｎｔｅｒ−Ｓｙｓｔｅｍ  Ｒｏｕｔｉｎｇ  Ｐｏｌｉｃｙ；ＩＳＲＰ）を伝達し、この情報に基づいて、端末は、どのＩＰトラフィックをどのアクセスネットワークを経由して送信するかを決定することができる。ＩＳＭＰは、端末が一つの活性化された（ａｃｔｉｖｅ）アクセスネットワーク連結（例えば、ＷＬＡＮまたは３ＧＰＰ）を選択することに対するネットワーク選択規則を含むことができる。ＩＳＲＰは、端末が潜在的な一つ以上の活性化されたアクセスネットワーク連結（例えば、ＷＬＡＮと３ＧＰＰの両方とも）を選択することに対するネットワーク選択規則を含むことができる。システム間ルーティング政策にはＭＡＰＣＯＮ（Ｍｕｌｔｉｐｌｅ  Ａｃｃｅｓｓ  ＰＤＮ  Ｃｏｎｎｅｃｔｉｖｉｔｙ）、ＩＦＯＭ（ＩＰ  Ｆｌｏｗ  Ｍｏｂｉｌｉｔｙ）、非シームレスＷＬＡＮオフローディング（ｎｏｎ−ｓｅａｍｌｅｓｓ  ＷＬＡＮ  ｏｆｆｌｏａｄｉｎｇ）が含まれる。ＡＮＤＳＦと端末との間の動的な伝達（ｄｙｎａｍｉｃ  ｐｒｏｖｉｓｉｏｎ）のためにＯＭＡ  ＤＭ（Ｏｐｅｎ  Ｍｏｂｉｌｅ  Ａｌｌｉａｎｃｅ  Ｄｅｖｉｃｅ  Ｍａｎａｇｅｍｅｎｔ）などが使われる。
【０１２４】
[139]  ＭＡＰＣＯＮは、３ＧＰＰアクセスネットワークと非３ＧＰＰアクセスネットワークを経由して同時に多数のパケットデータネットワークに連結（ｍｕｌｔｉｐｌｅ ＰＤＮ ｃｏｎｎｅｃｔｉｖｉｔｙ）を設定、維持及び全体活性化されたＰＤＮ接続（ａｃｔｉｖｅ  ＰＤＮ  ｃｏｎｎｅｃｔｉｏｎ）単位のシームレストラフィックオフローディング（ｓｅａｍｌｅｓｓ  ｔｒａｆｆｉｃ  ｏｆｆｌｏａｄｉｎｇ）が可能な技術を規格化したことである。そのために、ＡＮＤＳＦサーバは、オフローディングを実行するＡＰＮ（Ａｃｃｅｓｓ  Ｐｏｉｎｔ  Ｎａｍｅ）情報、アクセスネットワーク間の優先順位（ｒｏｕｔｉｎｇ  ｒｕｌｅ）、オフローディング方法が適用される時間（Ｔｉｍｅ  ｏｆ  Ｄａｙ）そしてオフローディングをするアクセスネットワーク（Ｖａｌｉｄｉｔｙ  Ａｒｅａ）情報などを提供する。
【０１２５】
[140]  ＩＦＯＭは、ＭＡＰＣＯＮよりは融通性があり、細分化された単位のＩＰフロー単位の移動性及びシームレスオフローディング（ｓｅａｍｌｅｓｓ  ｏｆｆｌｏａｄｉｎｇ）をサポートする。ＩＦＯＭの技術的特徴は、ＭＡＰＣＯＮと違って、端末が同じアクセスポイントネーム（ＡＰＮ）を使用してパケットデータネットワークに連結される場合であるとしも、互いに異なるアクセスネットワークを介して接続可能であり、移動性及びオフローディングの単位がパケットデータネットワーク（ＰＤＮ）でない特定サービスＩＰトラフィックフロー単位で移動可能にすることで、サービス提供の柔軟性を有する。そのために、ＡＮＤＳＦサーバは、オフローディングを実行するＩＰフロー情報、アクセスネットワーク間の優先順位（ｒｏｕｔｉｎｇ  ｒｕｌｅ）、オフローディング方法が適用される時間（Ｔｉｍｅ  ｏｆ  Ｄａｙ）そしてオフローディングをするアクセスネットワーク（Ｖａｌｉｄｉｔｙ  Ａｒｅａ）情報などを提供する。
【０１２６】
[141]  非シームレスＷＬＡＮオフローディングは、特定ＩＰトラフィックの経路をＷＬＡＮに変えることだけでなく、ＥＰＣを経由しないようにトラフィックを完全にオフローディングさせる技術を意味する。これは移動性サポートのためにＰ−ＧＷにアンカーリング（ａｎｃｈｏｒｉｎｇ）をしないため、オフローディングされたＩＰトラフィックを再び３ＧＰＰアクセスネットワークにシームレスに移動させることができない。そのために、ＡＮＤＳＦサーバは、端末にＩＦＯＭを実行するために提供する情報と類似する情報を提供する。
【０１２７】
[142]  図１０は、３ＧＰＰアクセスネットワーク及びＷＬＡＮアクセスネットワークが共存する環境の一例を示す。
【０１２８】
[143]  図１０を参照すると、３ＧＰＰアクセスネットワークとして基地局１  １０１０を中心とするセル１と、基地局２  １０２０を中心とするセル２とが示されている。また、ＷＬＡＮアクセスネットワークとしてセル１内に位置するアクセスポイント（Ａｃｃｅｓｓ  Ｐｏｉｎｔ；ＡＰ）１  １０３０を中心とするＢＳＳ（Ｂａｓｉｃ  Ｓｅｒｖｉｃｅ  Ｓｅｔ）１と、ＡＰ２  １０４０を中心とするＢＳＳ２とが示されており、セル２内に存在するＡＰ３  １０５０を中心とするＢＳＳ３が示されている。セルのカバレッジは、実線で図示されており、ＢＳＳのカバレッジは、点線で図示されている。
【０１２９】
[144]  端末１０００は、３ＧＰＰアクセスネットワーク及びＷＬＡＮアクセスネットワークを介した通信を実行することができるように設定されたことを仮定する。この場合、端末１０００は、ステーション（ｓｔａｔｉｏｎ）とも呼ばれる。
【０１３０】
[145]  まず、端末１０００は、セル１内でＢＳ１  １０１０と連結を確立して３ＧＰＰアクセスネットワークを介したトラフィック処理をすることができる。
【０１３１】
[146]  端末１０００がセル１のカバレッジ内で移動中にＢＳＳ１のカバレッジ内に進入し、スキャニングを介してＢＳＳ１を発見することができる。この場合、端末１０００は、ＢＳＳ１のＡＰ１  １０３０と結合（ａｓｓｏｃｉａｔｉｏｎ）及び認証（ａｕｔｈｅｎｔｉｃａｔｉｏｎ）手順を実行することを介してＷＬＡＮアクセスネットワークと連結できる。それによって、端末１０００は、トラフィックを３ＧＰＰアクセスネットワーク及びＷＬＡＮアクセスネットワークを介して処理できる。一方、端末１０００が移動してＢＳＳ１のカバレッジを外れる場合、ＷＬＡＮアクセスネットワークとの連結が終了されることができる。
【０１３２】
[147]  また、端末１０００がセル１のカバレッジ内で移動してセル１及びセル２の境界近辺へ移動でき、ＢＳＳ２のカバレッジ内に進入し、スキャニングを介してＢＳＳ２を発見することができる。この場合、端末１０００は、ＢＳＳ２のＡＰ２  １０４０と結合及び認証手順を実行することでＷＬＡＮアクセスネットワークと連結できる。一方、ＢＳＳ２のカバレッジ内の端末１０００は、セル１及びセル２の境界に位置するため、３ＧＰＰアクセスネットワークを介したサービス品質が良好でない。この場合、端末１０００は、ＷＬＡＮアクセスネットワークを介して集中的にトラフィックを処理するように動作できる。
【０１３３】
[148]  端末１０００が移動してＢＳＳ２のカバレッジを外れてセル２の中心部に進入すると、端末１０００は、ＷＬＡＮアクセスネットワークとの連結を終了し、セル２に基づいている３ＧＰＰアクセスネットワークを介してトラフィックを処理することができる。
【０１３４】
[149]  端末１０００がセル２のカバレッジ内で移動中にＢＳＳ３のカバレッジ内に進入し、スキャニングを介してＢＳＳ３を発見することができる。この場合、端末１０００は、ＢＳＳ３のＡＰ３  １０５０と結合及び認証手順を実行することを介してＷＬＡＮアクセスネットワークと連結できる。それによって、端末１０００は、トラフィックを３ＧＰＰアクセスネットワーク及びＷＬＡＮアクセスネットワークを介して処理できる。
【０１３５】
[150]  図１０の例示のように、３ＧＰＰアクセスネットワークと非３ＧＰＰアクセスネットワークが共存する無線通信環境で、端末は、適応的に３ＧＰＰアクセスネットワーク及び／または非３ＧＰＰアクセスネットワークを介してトラフィックを処理することができる。
【０１３６】
[151]  ３ＧＰＰアクセスネットワーク及び非３ＧＰＰアクセスネットワークとの間の連動のための政策として前述したＡＮＤＳＦが設定されることができる。端末は、ＡＮＤＳＦの設定を受けると、該当政策によって３ＧＰＰアクセスネットワークのトラフィックを非３ＧＰＰアクセスネットワークを介して処理し、または３ＧＰＰアクセスネットワークを介して処理できる。
【０１３７】
[152]  一方、端末にはＡＮＤＳＦ以外の連動政策が設定されることができる。現在、３ＧＰＰネットワークでは、ＡＮＤＳＦ外にＷＬＡＮをより一層活用するために３ＧＰＰアクセスネットワーク及び／またはＷＬＡＮアクセスネットワークの負荷、信号品質などの測定パラメータを反映した連動政策が定義されており、以下でこれをＲＡＮ政策という。また、ＲＡＮ政策によるトラフィックステアリング規則を以下でＲＡＮ規則という。
【０１３８】
[153]  ＲＡＮ規則は、ＲＡＮ規則によるトラフィックステアリング評価のための少なくとも一つのＲＡＮ規則パラメータと共に端末に提供されることができる。ＲＡＮ規則及びＲＡＮ規則パラメータは、下記のように設定されることができる。
【０１３９】
[154]  １．ＲＡＮ規則は、ＷＬＡＮへのトラフィックステアリングが許容されるかどうかを指示することができる。
【０１４０】
[155]  ２．ＲＡＮ規則は、端末が３ＧＰＰアクセスネットワークからＷＬＡＮアクセスネットワークへのトラフィックステアリング実行が許容され、または要求される条件であるトラフィックステアリング評価条件を指示することができる。ＲＡＮ規則による条件は、ＬＴＥセルに対する測定結果の評価を伴うことができる。また、ＲＡＮ規則による条件は、ＷＬＡＮに対する測定結果の評価を伴うことができる。評価は、前記測定結果とトラフィックステアリング情報内で指示されるＲＡＮ規則パラメータ（例えば、測定閾値等）と比較することである。下記は、端末により考慮されるトラフィックステアリング条件の例示を示す。
【０１４１】
[156]  （１）ＷＬＡＮアクセスネットワークへのトラフィックステアリング条件
【０１４２】
[157]  −ＲＳＲＰ測定値（ｍｅａｓｕｒｅｄ＿ＲＳＲＰ）＜低いＲＳＲＰ閾値（Ｔｈｒｅｓｈｏｌｄ＿ＲＳＲＰ＿ｌｏｗ）
【０１４３】
[158]  −３ＧＰＰ負荷測定値（ｍｅａｓｕｒｅｄ＿３ＧＰＰＬｏａｄ）＞高い３ＧＰＰ負荷閾値（Ｔｈｒｅｓｈｏｌｄ＿３ＧＰＰＬｏａｄ＿Ｈｉｇｈ）
【０１４４】
[159]  −ＷＬＡＮ負荷測定値（ｍｅａｓｕｒｅｄ＿ＷＬＡＮＬｏａｄ）＜低いＷＬＡＮ負荷閾値（Ｔｈｒｅｓｈｏｌｄ＿ＷＬＡＮＬｏａｄ＿ｌｏｗ）
【０１４５】
[160]  −ＷＬＡＮ信号強度測定値（ｍｅａｓｕｒｅｄ＿ＷＬＡＮｓｉｇｎａｌ）＞高いＷＬＡＮ信号強度閾値（Ｔｈｒｅｓｈｏｌｄ＿ＷＬＡＮｓｉｇｎａｌ＿ｈｉｇｈ）
【０１４６】
[161]  （２）３ＧＰＰアクセスネットワークへのトラフィックステアリング条件
【０１４７】
[162]  −ＲＳＲＰ測定値（ｍｅａｓｕｒｅｄ＿ＲＳＲＰ）＞高いＲＳＲＰ閾値（Ｔｈｒｅｓｈｏｌｄ＿ＲＳＲＰ＿ｈｉｇｈ）
【０１４８】
[163]  −３ＧＰＰ負荷測定値（ｍｅａｓｕｒｅｄ＿３ＧＰＰＬｏａｄ）＜低い３ＧＰＰ負荷閾値（Ｔｈｒｅｓｈｏｌｄ＿３ＧＰＰＬｏａｄ＿Ｈｉｇｈ）
【０１４９】
[164]  −ＷＬＡＮ負荷測定値（ｍｅａｓｕｒｅｄ＿ＷＬＡＮＬｏａｄ）＞高いＷＬＡＮ負荷閾値（Ｔｈｒｅｓｈｏｌｄ＿ＷＬＡＮＬｏａｄ＿ｈｉｇｈ）
【０１５０】
[165]  −ＷＬＡＮ信号強度測定値（ｍｅａｓｕｒｅｄ＿ＷＬＡＮｓｉｇｎａｌ）＜低いＷＬＡＮ信号強度閾値（Ｔｈｒｅｓｈｏｌｄ＿ＷＬＡＮｓｉｇｎａｌ＿ｌｏｗ）
【０１５１】
[166]  一方、トラフィックステアリング評価条件は、前記一つ以上の条件がａｎｄ／ｏｒに結合されて設定されることができる。例えば、一つ以上の条件が結合されて具現されたトラフィックステアリング評価条件は、下記のように具現されることができる。
【０１５２】
[167]  −ＷＬＡＮによりトラフィックステアリングのためのトラフィックステアリング評価条件：（ｍｅａｓｕｒｅｄ＿ＲＳＲＰ＜Ｔｈｒｅｓｈｏｌｄ＿ＲＳＲＰ＿ｌｏｗ）ａｎｄ（ｍｅａｓｕｒｅｄ＿ＷＬＡＮＬｏａｄ＜Ｔｈｒｅｓｈｏｌｄ＿ＷＬＡＮＬｏａｄ＿ｌｏｗ）ａｎｄ（ｍｅａｓｕｒｅｄ＿ＷＬＡＮｓｉｇｎａｌ＞Ｔｈｒｅｓｈｏｌｄ＿ＷＬＡＮｓｉｇｎａｌ＿ｈｉｇｈ）
【０１５３】
[168]  −３ＧＰＰによりトラフィックステアリングのためのトラフィックステアリング評価条件：（ｍｅａｓｕｒｅｄ＿ＲＳＲＰ＞Ｔｈｒｅｓｈｏｌｄ＿ＲＳＲＰ＿ｌｏｗ）ｏｒ（ｍｅａｓｕｒｅｄ＿ＷＬＡＮＬｏａｄ＞Ｔｈｒｅｓｈｏｌｄ＿ＷＬＡＮＬｏａｄ＿ｈｉｇｈ）ｏｒ（ｍｅａｓｕｒｅｄ＿ＷＬＡＮｓｉｇｎａｌ＜Ｔｈｒｅｓｈｏｌｄ＿ＷＬＡＮｓｉｇｎａｌ＿ｌｏｗ）
【０１５４】
[169]  ３．ＲＡＮ規則は、端末がＷＬＡＮアクセスネットワークから３ＧＰＰアクセスネットワークへのトラフィックステアリング実行が許容され、または要求される条件を指示することができる。
【０１５５】
[170]  ４．ＲＡＮ規則は、端末が３ＧＰＰアクセスネットワークからトラフィックステアリングを実行することが許容され、または要求される対象ＷＬＡＮアクセスネットワークを指示することができる。
【０１５６】
[171]  ５．ＲＡＮ規則は、ＷＬＡＮアクセスネットワークにルーティングが許容されるトラフィックタイプを指示することができる。または、ＲＡＮ規則は、ＷＬＡＮアクセスネットワークにルーティングが許容される、即ち、３ＧＰＰアクセスネットワークによってのみサービスされることができる一つ以上のトラフィックを指示することができる。
【０１５７】
[172]  一方、端末に設定されるＡＮＤＳＦは、レガシーＡＮＤＳＦ及び／または強化されたＡＮＤＳＦ（ｅｎｈａｎｃｅｄ  ＡＮＤＳＦ）を含むことができる。
【０１５８】
[173]  レガシーＡＮＤＳＦは、ＲＡＮ規則パラメータ内に定義された該当パラメータのようなＡＮＤＳＦ  ＭＯ（Ｍａｎａｇｅｍｅｎｔ  Ｏｂｊｅｃｔ）を含まないＡＮＤＳＦに定義されることができる。レガシーＡＮＤＳＦと違って、強化されたＡＮＤＳＦ（ｅｎｈａｎｃｅｄ  ＡＮＤＳＦ）は、ＲＡＮ規則パラメータ内に定義された該当パラメータのようなＡＮＤＳＦ  ＭＯを含むＡＮＤＳＦに定義されることができる。
【０１５９】
[174]  図１１は、ＭＡＰＣＯＮに対するレガシーＡＮＤＳＦの一例を示し、図１２は、ＭＡＰＣＯＮに対する強化されたＡＮＤＳＦの一例を示す。
【０１６０】
[175]  図１１を参照すると、レガシーＡＮＤＳＦは、ＡＮＤＳＦ  ＭＯとしてＲＳＲＰ、ＷＬＡＮ信号レベルのようなＲＡＮ規則パラメータを含んでいないことを知ることができる。
【０１６１】
[176]  それに対し、図１２を参照すると、強化されたＡＮＤＳＦは、ＡＮＤＳＦ  ＭＯとしてＲＳＲＰ、ＲＳＲＱ、オフロード選好（ｏｆｆｌｏａｄ  ｐｒｅｆｅｒｅｎｃｅ）を含んでいることを知ることができる。また、ＡＮＤＳＦは、ＡＮＤＳＦ  ＭＯとしてＷＬＡＮ信号レベル（例えば、ＲＳＳＩ、ＲＳＣＰ）、ＷＬＡＮ負荷レベル、ＷＬＡＮバックホールデータレート、ＷＬＡＮバックホール負荷などを含むことができる。
【０１６２】
[177]  強化されたＡＮＤＳＦは、各ＡＮＤＳＦ  ＭＯと関連してトラフィックステアリング評価条件を特定することができる。強化されたＡＮＤＳＦにより特定されるトラフィックステアリング評価条件は、ＲＡＮ規則により設定されたＲＡＮ規則パラメータ関連トラフィックステアリング評価条件と類似するように設定されることができ、これに対する詳細な説明は省略する。
【０１６３】
[178]  従来、基地局は、どのトラフィックがＷＬＡＮによりステアリングされることができるかを知らない。例えば、基地局は、端末が進行中であるオフローディング可能なトラフィック（Ｏｎ−ｇｏｉｎｇ  Ｏｆｆｌｏａｄａｂｌｅ  Ｔｒａｆｆｉｃ）を有しているかどうかを知らない状態で端末にＷＬＡＮ測定を設定することができる。その場合、たとえ、端末が進行中であるオフローディング可能なトラフィックを有していないとしても、端末は、不要なＷＬＡＮ測定及び測定報告を実行しなければならない。また、たとえ、端末が進行中であるオフローディング可能なトラフィックを有していないとしても、基地局は、不要なＷＬＡＮインターワーキング命令を端末に送信しなければならない。
【０１６４】
[179]  以下、本発明の一実施例によって、端末がＷＬＡＮ測定を実行するかどうかを決定する方法及びこれをサポートする装置に対して説明する。また、以下、本発明の一実施例によって、端末がＷＬＡＮ結合状態（Ｗｉｒｅｌｅｓｓ  Ｌｏｃａｌ  Ａｒｅａ  Ｎｅｔｗｏｒｋ  Ｃｏｎｎｅｃｔｉｏｎ  Ｓｔａｔｕｓ）を報告する方法及びこれをサポートする装置に対して説明する。
【０１６５】
[180]  図１３は、本発明の一実施例によって、端末がＷＬＡＮ測定を実行するかどうかを決定し、ＷＬＡＮ結合状態を報告する方法を示す。
【０１６６】
[181]  （１）ネットワークは、端末にＷＬＡＮ測定設定を送信することができる（Ｓ１３００）。前記ＷＬＡＮ測定設定は、測定対象または測定報告イベントのうち少なくともいずれか一つを含むことができる。前記測定対象は、周波数（動作チャネル）、ＷＬＡＮ  ＩＤのうち少なくともいずれか一つを含むことができる。前記ＷＬＡＮ  ＩＤは、ＳＳＩＤ（ｓｅｒｖｉｃｅ  ｓｅｔ  ｉｄｅｎｔｉｆｉｅｒ）、ＢＳＳＩＤ（ｂａｓｉｃ  ｓｅｒｖｉｃｅ  ｓｅｔ  ｉｄｅｎｔｉｆｉｅｒ）またはＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）のうち少なくともいずれか一つを含むことができる。前記測定報告イベントは、端末がいつＷＬＡＮ測定結果を報告するかに対する情報である。
【０１６７】
[182]  （２）端末は、ＷＬＡＮ測定を実行するかどうかを決定することができる（Ｓ１３１０）。以下の条件のうち少なくともいずれか一つを満たす場合、端末は、ＷＬＡＮ測定を実行することができる。
【０１６８】
[183]  −第１ａの条件：端末が進行中であるオフローディング可能なトラフィックを有している。オフローディング可能性（即ち、どのトラフィックがＷＬＡＮによりステアリングされることができるか）は、ＭＭＥから端末に提供されることができる。
【０１６９】
[184]  −第１ｂの条件：ＷＬＡＮモジュールの電源がオンになっている。
【０１７０】
[185]  −第１ｃの条件：端末が選好するＡＰに結合されていない。前記選好するＡＰとは、高い優先順位ＡＰを意味する。または、前記選好するＡＰとは、ユーザにより選好されるＡＰである。
【０１７１】
[186]  本発明において、前記第１ａの条件、前記第１ｂの条件または前記第１ｃの条件は、１の条件という。
【０１７２】
[187]  または、下記の条件のうち少なくともいずれか一つを満たす場合、端末は、ＷＬＡＮ測定を実行しない。
【０１７３】
[188]  −第２ａの条件：端末が進行中であるオフローディング可能なトラフィックを有していない。
【０１７４】
[189]  −第２ｂの条件：ＷＬＡＮモジュールの電源がオフになっている。
【０１７５】
[190]  −第２ｃの条件：端末が選好するＡＰに結合されている。
【０１７６】
[191]  例えば、ユーザ選好度に基づいて他のＷＬＡＮに連結されている場合、端末にＷＬＡＮ測定が設定されているとしても、端末は、ＷＬＡＮ測定を実行しない。例えば、ＷＬＡＮの電源がオフになっている場合、端末にＷＬＡＮ測定が設定されているとしても、端末は、ＷＬＡＮ測定を実行しない。
【０１７７】
[192]  本発明において、前記第２ａの条件、前記第２ｂの条件または前記第２ｃの条件は、第２の条件という。
【０１７８】
[193]  （３）端末は、ＷＬＡＮ測定を実行することができる（Ｓ１３２０）。例えば、前記第１の条件のうち少なくともいずれか一つを満たす場合、端末は、ＷＬＡＮ測定を実行することができる。
【０１７９】
[194]  （４）イベント条件が満たされる場合、端末は、ＷＬＡＮ測定結果をネットワークに報告するかどうかを決定することができる（Ｓ１３３０）。例えば、下記の条件のうち少なくともいずれか一つを満たす場合、端末は、ＷＬＡＮ測定結果を報告することができる。
【０１８０】
[195]  −第３ａの条件：端末が進行中であるオフローディング可能なトラフィックを有している。
【０１８１】
[196]  −第３ｂの条件：ＷＬＡＮモジュールの電源がオンになっている。
【０１８２】
[197]  −第３ｃの条件：端末が選好するＡＰに結合されていない。前記選好するＡＰとは、高い優先順位ＡＰを意味する。または、前記選好するＡＰとは、ユーザにより選好されるＡＰである。
【０１８３】
[198]  本発明において、前記第３ａの条件、前記第３ｂの条件または前記第３ｃの条件は、第３の条件という。
【０１８４】
[199]  （５）端末は、ネットワークにＷＬＡＮ測定結果を報告することができる（Ｓ１３４０）。例えば、前記第３の条件のうち少なくともいずれか一つを満たす場合、端末は、ネットワークにＷＬＡＮ測定結果を報告することができる。
【０１８５】
[200]  （６）ネットワークは、報告されたＷＬＡＮ測定結果に基づいてＬＴＥ／ＷＬＡＮアグリゲーション（Ａｇｇｒｅｇａｔｉｏｎ）またはＬＴＥ／ＷＬＡＮインターワーキングを設定するかどうかを決定することができる（Ｓ１３５０）。
【０１８６】
[201]  （７）端末は、ＬＴＥ／ＷＬＡＮアグリゲーション命令メッセージまたはＬＴＥ／ＷＬＡＮインターワーキング命令メッセージを受信することができる（Ｓ１３６０）。前記ＬＴＥ／ＷＬＡＮアグリゲーション命令メッセージは、ＡＰリストを含むことができ、複数のＡＰは、ＬＴＥ／ＷＬＡＮアグリゲーションＡＰとして指示されることができる。または、前記ＬＴＥ／ＷＬＡＮインターワーキング命令メッセージは、ＡＰリストを含むことができ、複数のＡＰは、ＬＴＥ／ＷＬＡＮインターワーキングＡＰとして指示されることができる。前記ＡＰリストは、一つ以上のターゲットＡＰを含むことができる。前記ＡＰリストは、ＷＬＡＮ移動性セット（ｍｏｂｉｌｉｔｙ  ｓｅｔ）と同じ概念で使われることができる。図１３の実施例において、ＡＰリストは、ＡＰ１及びＡＰ２を含むと仮定した。ＡＰ１及びＡＰ２は、ＬＴＥ／ＷＬＡＮアグリゲーションＡＰまたはＬＴＥ／ＷＬＡＮインターワーキングＡＰとして指示されることができる。説明を明確にするために、ＡＰリストは、２個のＡＰを含むと仮定したが、これに限定されるものではなく、ＡＰリストは、一つ以上のターゲットＡＰを含むことができる。
【０１８７】
[202]  （８）端末は、ＡＰリストの中からＡＰを選択し、選択されたＡＰと認証及び結合（Ａｕｔｈｅｎｔｉｃａｔｉｏｎ＆Ａｓｓｏｃｉａｔｉｏｎ）手順を実行することができる（Ｓ１３７０）。前記選択されたＡＰは、一つである。端末は、もし、認証及び結合手順が失敗すると、端末は、ＡＰリストの中から他のＡＰを再選択することができる。図１３の実施例において、端末は、ＡＰリストの中からＡＰ１を選択し、ＡＰ１と認証及び結合手順を実行することができる。ＡＰ１と認証及び結合が失敗すると、端末は、ＡＰリストの中からＡＰ２を再選択することができる。以後、端末は、ＡＰ２と認証及び結合手順を実行することができる。ＡＰ２と認証及び結合は、成功したと仮定する。
【０１８８】
[203]  （９）端末は、結合状態指示を基地局に報告することができる（Ｓ１３８０）。前記結合状態指示は、ＷＬＡＮ結合状態報告（ＷＬＡＮ  Ｃｏｎｎｅｃｔｉｏｎ  Ｓｔａｔｕｓ  Ｒｅｐｏｒｔｉｎｇ）と同じ概念で使われることができる。例えば、前記ＷＬＡＮ結合状態報告は、認証及び結合手順の成功を指示することができる。または、前記ＷＬＡＮ結合状態報告は、認証及び結合手順の失敗を指示することができる。
【０１８９】
[204]  前記ＡＰリストに含まれている特定ＡＰと結合に成功した場合、前記結合状態指示は、認証及び結合手順の成功を指示することができる。このステップで、端末は、基地局に結合されたＡＰ  ＩＤを報告することができる。前記結合されたＡＰ  ＩＤは、結合されたＡＰのＢＳＳＩＤ、結合されたＡＰのＳＳＩＤまたは結合されたＡＰのＨＥＳＳＩＤのうち少なくともいずれか一つである。図１３の実施例において、端末は、ＡＰ２と認証及び結合に成功したと仮定したため、結合成功を指示するＷＬＡＮ結合状態報告を基地局に報告することができる。このとき、前記ＷＬＡＮ結合状態報告は、ＡＰ２のＩＤを含むことができる。
【０１９０】
[205]  前記ＡＰリストに含まれている全てのＡＰと結合に失敗した場合、前記ＷＬＡＮ結合状態報告は、認証及び結合手順の失敗を指示することができる。図１３の実施例と違って、端末がＡＰリストに含まれている全てのＡＰと認証及び結合に失敗した場合、結合失敗を指示するＷＬＡＮ結合状態報告を基地局に報告することができる。
【０１９１】
[206]  （１０）基地局は、結合が成功したターゲットＡＰにデータを伝達することができる（Ｓ１３９０）。
【０１９２】
[207]  本発明の一実施例によると、端末は、不要なＷＬＡＮ測定及び測定報告を実行しない。また、基地局は、不要なＷＬＡＮインターワーキング命令を端末に送信しない。
【０１９３】
[208]  図１４は、本発明の一実施例によって、端末がＷＬＡＮ測定を実行するかどうかを決定する方法を示すブロック図である。
【０１９４】
[209]  図１４を参照すると、前記端末は、ネットワークからＷＬＡＮ測定設定を受信することができる（Ｓ１４１０）。
【０１９５】
[210]  前記端末は、ＷＬＡＮの測定を実行するかどうかを決定することができる（Ｓ１４２０）。
【０１９６】
[211]  第１の条件が満たされる場合、前記端末は、前記ＷＬＡＮの測定を実行しないように決定することができる。前記第１の条件は、前記端末が進行中であるオフローディング可能なトラフィックを有している。前記第１の条件は、前記ＷＬＡＮの電源がオフになっている。前記第１の条件は、前記端末が前記ＷＬＡＮと異なるＷＬＡＮに連結されている。前記第１の条件は、前記端末が高い優先順位を有するＡＰと連結されている。
【０１９７】
[212]  第２の条件が満たされる場合、前記端末は、前記受信されたＷＬＡＮ測定設定に基づいて前記ＷＬＡＮの測定を実行することができる。前記第２の条件は、前記端末が進行中であるオフローディング可能なトラフィックを有している。前記第２の条件は、前記ＷＬＡＮの電源がオンになっている。前記第２の条件は、前記端末が高い優先順位を有するＡＰと連結されていない。
【０１９８】
[213]  第３の条件が満たされる場合、前記端末は、前記測定の結果をネットワークに報告することができる。前記第３の条件は、前記端末が進行中であるオフローディング可能なトラフィックを有している。前記第３の条件は、前記ＷＬＡＮの電源がオンになっている。前記第３の条件は、前記端末が高い優先順位を有するＡＰと連結されていない。
【０１９９】
[214]  図１５は、本発明の一実施例によって、端末がＷＬＡＮ結合状態を報告する方法を示すブロック図である。
【０２００】
[215]  図１５を参照すると、端末は、一つ以上のターゲットＡＰを含むＷＬＡＮ移動性セット（ｍｏｂｉｌｉｔｙ  ｓｅｔ）を受信することができる（Ｓ１５１０）。前記ＷＬＡＮ移動性セットは、ＬＴＥ／ＷＬＡＮアグリゲーション（Ａｇｇｒｅｇａｔｉｏｎ）命令メッセージまたはＬＴＥ／ＷＬＡＮインターワーキング（Ｉｎｔｅｒｗｏｒｋｉｎｇ）命令メッセージに含まれて受信されることができる。
【０２０１】
[216]  前記端末は、前記一つ以上のターゲットＡＰ（Ｔａｒｇｅｔ  Ａｃｃｅｓｓ  Ｐｏｉｎｔ）のうち、トラフィックをオフローディングする一つのターゲットＡＰと結合を試みることができる（Ｓ１５２０）。前記一つのターゲットＡＰと結合に失敗すると、前記端末は、前記ＷＬＡＮ移動性セットに含まれている他のターゲットＡＰと結合を試みることができる。前記他のターゲットＡＰと結合に成功すると、前記ＷＬＡＮ結合状態報告は、成功を指示することができる。
【０２０２】
[217]  前記端末は、ＷＬＡＮ結合状態報告（ＷＬＡＮ  Ｃｏｎｎｅｃｔｉｏｎ  Ｓｔａｔｕｓ  Ｒｅｐｏｒｔｉｎｇ）をネットワークに報告することができる（Ｓ１５３０）。
【０２０３】
[218]  前記端末が前記ＷＬＡＮ移動性セットに含まれている全てのターゲットＡＰと結合に失敗すると、前記ＷＬＡＮ結合状態報告は、失敗を指示することができる。前記端末は、ＷＬＡＮ状態モニタリングを中断することができる。前記端末は、前記ＷＬＡＮ移動性セットに含まれているターゲットＡＰと結合試みを中断することができる。
【０２０４】
[219]  前記端末が前記ＷＬＡＮ移動性セットに含まれているターゲットＡＰのうちいずれか一つのＡＰと結合に成功すると、前記ＷＬＡＮ結合状態報告は、成功を指示することができる。前記ＷＬＡＮ結合状態報告は、前記結合に成功したＡＰのＩＤを含むことができる。前記結合に成功したＡＰのＩＤは、ＳＳＩＤ（ｓｅｒｖｉｃｅ  ｓｅｔ  ｉｄｅｎｔｉｆｉｅｒ）、ＢＳＳＩＤ（ｂａｓｉｃ  ｓｅｒｖｉｃｅ  ｓｅｔ  ｉｄｅｎｔｉｆｉｅｒ）またはＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）のうち少なくともいずれか一つである。
【０２０５】
[220]  図１６は、本発明の実施例が具現される無線通信システムのブロック図である。
【０２０６】
[221]  基地局１６００は、プロセッサ（ｐｒｏｃｅｓｓｏｒ）１６０１、メモリ（ｍｅｍｏｒｙ）１６０２及び送受信機（ｔｒａｎｓｃｅｉｖｅｒ）１６０３を含む。メモリ１６０２は、プロセッサ１６０１と連結され、プロセッサ１６０１を駆動するための多様な情報を格納する。送受信機１６０３は、プロセッサ１６０１と連結され、無線信号を送信及び／または受信する。プロセッサ１６０１は、提案された機能、過程及び／または方法を具現する。前述した実施例において、基地局の動作は、プロセッサ１６０１により具現されることができる。
【０２０７】
[222]  端末１６１０は、プロセッサ１６１１、メモリ１６１２及び送受信機１６１３を含む。メモリ１６１２は、プロセッサ１６１１と連結され、プロセッサ１６１１を駆動するための多様な情報を格納する。送受信機１６１３は、プロセッサ１６１１と連結され、無線信号を送信及び／または受信する。プロセッサ１６１１は、提案された機能、過程及び／または方法を具現する。前述した実施例において、端末の動作は、プロセッサ１６１１により具現されることができる。
【０２０８】
[223]  プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信機は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０２０９】
[224]  前述した一例に基づいて本明細書による多様な技法が図面と図面符号を介して説明された。説明の便宜のために、各技法は、特定の順序によって複数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【０２１０】
[225]  前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
0006588627.tif 000004
【図２】
0006588627.tif 000005
【図３】
0006588627.tif 000006
【図４】
0006588627.tif 000007
【図５】
0006588627.tif 000008
【図６】
0006588627.tif 000009
【図７】
0006588627.tif 000010
【図８】
0006588627.tif 000011
【図９】
0006588627.tif 000012
【図１０】
0006588627.tif 000013
【図１１】
0006588627.tif 000014
【図１２】
0006588627.tif 000015
【図１３】
0006588627.tif 000016
【図１４】
0006588627.tif 000017
【図１５】
0006588627.tif 000018
【図１６】
0006588627.tif 000019